【事件の表示】
　特願２００８−２６３９９１「携帯型電子装置，文字入力画面表示方法およびプログラム」拒絶査定不服審判事件〔平成２２年　４月２２日出願公開，特開２０１０−　９３７０７〕について，次のとおり審決する。
【結　論】
　本件審判の請求は，成り立たない。
【理　由】
第１　手続の経緯
　本願は，平成２０年１０月１０日の出願であって，平成２３年９月１２日に審査請求がされるとともに，同日に手続補正がされ，平成２５年４月１５日付けの拒絶理由通知に対し，同年６月２４日に手続補正がされ，同年１０月１８日付けで拒絶査定がされ，これに対して平成２６年１月２８日に審判請求がされるとともに，同日に手続補正がされたものである。 
　
第２　補正の却下の決定
［補正却下の決定の結論］
　平成２６年１月２８日付けの手続補正（以下「本件補正」という。）を却下する。
［理由］
１　本件補正の内容
　本件補正は，特許請求の範囲及び明細書を補正するものであって，特許請求の範囲の請求項４については，本件補正の前後で以下のとおりである。  
　・補正前
　「【請求項４】
　複数の入力手段と，前記入力手段により指定された文字を表示するための編集画面を表示する表示手段と，文字種ごとに分類された文字を記憶する記憶手段とを有する携帯型電子装置による文字入力画面表示方法であって，
　前記文字種を選択するための選択手段を呼び出すモード切替処理と，
　前記選択手段によって文字種が選択されると，該選択手段によって選択された文字種に対応する文字を前記記憶手段から読み出して前記表示手段に表示させる制御処理とを有し，
　前記制御処理は，前記モード切替処理によって前記選択手段が呼び出された場合，前記編集画面の一部領域上に，複数の前記選択手段と，該複数の選択手段のうち１つの選択手段の特定の文字種に対応する文字とを表示させ，前記１つの選択手段を，前記特定の文字種に対応する文字種を選択している状態として他の選択手段とは異なるように表示させる処理を含むことを特徴とする文字入力画面表示方法。」
　・補正後
　「【請求項４】
　複数の入力手段と，前記入力手段により指定された文字を表示するための編集画面を表示する表示手段と，文字種ごとに分類された文字，および，複数の定型文を記憶する記憶手段とを有する携帯型電子装置による文字入力画面表示方法であって，
　入力する文字種，または，定型文の入力を選択するための選択手段を呼び出すモード切替処理と，
　特定の文字種の入力を示す選択手段が選択されると，該特定の文字種に対応する文字を前記記憶手段から読み出して前記表示手段に表示させ，前記定型文の入力を示す選択手段が選択されると，前記複数の定型文を前記記憶手段から読み出して前記表示手段に表示させる制御処理とを有し，
　前記制御処理は，前記モード切替処理によって前記選択手段が呼び出された場合，前記編集画面の一部領域上に，複数の前記選択手段を表示させ，該複数の選択手段のうち１つの選択手段が選択されると，該１つの選択手段が特定の文字種の入力を示す場合には，該特定の文字種に対応する文字を表示させ，該１つの選択手段が定型文の入力を示す場合には，複数の定型文を表示させ，該１つの選択手段を，入力する該特定の文字種，または，定型文の入力を選択している状態として他の選択手段とは異なるように表示させる処理を含むことを特徴とする文字入力画面表示方法。」
　
２　補正事項の整理
　本件補正による特許請求の範囲の請求項４についての補正を整理すると次のとおりとなる。（当審注．下線は補正箇所を示し，当審で付加したもの。） 
　・補正事項１
　補正前の請求項４の「文字種ごとに分類された文字を記憶する記憶手段」を，「文字種ごとに分類された文字
，および，複数の定型文
　・補正事項２
　補正前の請求項４の「前記文字種を選択するための選択手段を呼び出すモード切替処理」を，「
入力する
，または，定型文の入力
　・補正事項３
　補正前の請求項４の「前記選択手段によって文字種が選択されると，該選択手段によって選択された文字種に対応する文字を前記記憶手段から読み出して前記表示手段に表示させる制御処理」を，「
特定の文字種の入力を示す選択手段
該特定の
，前記定型文の入力を示す選択手段が選択されると，前記複数の定型文を前記記憶手段から読み出して前記表示手段に表示させ
　・補正事項４
　補正前の請求項４の「前記制御処理は，前記モード切替処理によって前記選択手段が呼び出された場合，前記編集画面の一部領域上に，複数の前記選択手段と，該複数の選択手段のうち１つの選択手段の特定の文字種に対応する文字とを表示させ，前記１つの選択手段を，前記特定の文字種に対応する文字種を選択している状態として他の選択手段とは異なるように表示させる処理を含む」を，「前記制御処理は，前記モード切替処理によって前記選択手段が呼び出された場合，前記編集画面の一部領域上に，複数の前記選択手段
を表示させ
が選択されると，該１つの選択手段が特定の文字種の入力を示す場合には，該
を
該１つの選択手段が定型文の入力を示す場合には，複数の定型文を表示させ，該
入力する該
，または，定型文の入力
　
３　補正の適否について
（１）補正事項１について
　本願の願書に最初に添付した明細書の段落【００６２】及び【００９１】ないし【００９８】の記載から，補正事項１は本願の願書に最初に添付した明細書，特許請求の範囲又は図面に記載された事項の範囲内においてされたものであることは明らかであるので，補正事項１は，特許法第１７条の２第３項の規定に適合する。
　そして，補正事項１は，補正前の請求項４に記載された発明特定事項である「記憶手段」を限定的に減縮するから，特許法第１７条の２第５項第２号に掲げる特許請求の範囲の減縮を目的とするものに該当し，同法第１７条の２第４項の規定に適合することは明らかである。
　
（２）補正事項２について
　本願の願書に最初に添付した明細書の段落【００３９】，【００４０】，【００４８】ないし【００６６】，及び【０１２３】ないし【０１３１】の記載から，補正事項２は本願の願書に最初に添付した明細書，特許請求の範囲又は図面に記載された事項の範囲内においてされたものであることは明らかであるので，補正事項２は，特許法第１７条の２第３項の規定に適合する。
　そして，補正事項２は，補正前の請求項４に記載された発明特定事項である「選択手段」及び「モード切替処理」を限定的に減縮するから，特許法第１７条の２第５項第２号に掲げる特許請求の範囲の減縮を目的とするものに該当し，同法第１７条の２第４項の規定に適合することは明らかである。
　
（３）補正事項３及び４について
　本願の願書に最初に添付した明細書の段落【００３９】，【００４０】，【００４８】ないし【００６６】，及び【０１２３】ないし【０１３１】の記載，並びに図５から，補正事項３及び４は，いずれも，本願の願書に最初に添付した明細書，特許請求の範囲又は図面に記載された事項の範囲内においてされたものであることは明らかであるので，補正事項３及び４は，いずれも，特許法第１７条の２第３項の規定に適合する。
　そして，補正事項３及び４は，いずれも，補正前の請求項４に記載された発明特定事項である「制御処理」を補正事項２の上記限定に伴って限定的に減縮するから，特許法第１７条の２第５項第２号に掲げる特許請求の範囲の減縮を目的とするものに該当し，同法第１７条の２第４項の規定に適合することは明らかである。
　
４　独立特許要件についての検討 
（１）検討の前提
　上記３（２）で検討したとおり，本件補正による請求項４についての補正事項１ないし４は，特許法第１７条の２第５項第２号に掲げる，特許請求の範囲の減縮を目的とするものに該当するから，本件補正後の請求項４に記載された事項により特定される発明が特許出願の際独立して特許を受けることができるものであるか否かにつき，更に検討する。
　
（２）本願補正発明
　ア　本件補正後の請求項４の記載は，次のとおりである。（再掲）
　「【請求項４】
　複数の入力手段と，前記入力手段により指定された文字を表示するための編集画面を表示する表示手段と，文字種ごとに分類された文字，および，複数の定型文を記憶する記憶手段とを有する携帯型電子装置による文字入力画面表示方法であって，
　入力する文字種，または，定型文の入力を選択するための選択手段を呼び出すモード切替処理と，
　特定の文字種の入力を示す選択手段が選択されると，該特定の文字種に対応する文字を前記記憶手段から読み出して前記表示手段に表示させ，前記定型文の入力を示す選択手段が選択されると，前記複数の定型文を前記記憶手段から読み出して前記表示手段に表示させる制御処理とを有し，
　前記制御処理は，前記モード切替処理によって前記選択手段が呼び出された場合，前記編集画面の一部領域上に，複数の前記選択手段を表示させ，該複数の選択手段のうち１つの選択手段が選択されると，該１つの選択手段が特定の文字種の入力を示す場合には，該特定の文字種に対応する文字を表示させ，該１つの選択手段が定型文の入力を示す場合には，複数の定型文を表示させ，該１つの選択手段を，入力する該特定の文字種，または，定型文の入力を選択している状態として他の選択手段とは異なるように表示させる処理を含むことを特徴とする文字入力画面表示方法。」
　イ　本件補正後の請求項４に記載の「選択手段」との用語について，その意味内容を一義的に理解することは困難であるので，本願明細書の発明の詳細な説明の記載を参酌して，その意味内容を理解すると，本件補正後の請求項４に記載の「前記制御処理は，前記モード切替処理によって前記選択手段が呼び出された場合，前記編集画面の一部領域上に，複数の前記選択手段を表示させ，該複数の選択手段のうち１つの選択手段が選択されると，該１つの選択手段が特定の文字種の入力を示す場合には，該特定の文字種に対応する文字を表示させ」ることについて，本願明細書の発明の詳細な説明には，以下の記載がある。（当審注．下線は当審において付加した。以下同じ。）
「【００５３】
　なお，ここでいう
「一覧画面ＩＣＨ」とは，絵文字・記号入力モードＭＯＤ（特定文字入力モード）において入力可能な文字の種類の一覧（例えば，絵文字の一覧や記号の一覧）それぞれを，当該種類に応じたタブごとに分別して示した画面
・・・
【００６２】
  また，
タブＴＢ６（「ＵＲＬ」）は
使用頻度が高い定型文（例えば，「ｈｔｔｐ：／／」や「ｃｏ.ｊｐ」など）の一覧に対応するタブである
・・・
【００６４】
　また，一覧表示制御部１１４は，
一覧画面ＩＣＨを表示部１６が表示している間，タブ選択部１１５から通知されたタブに対応する絵文字や記号の一覧のデータをＲＯＭ１２から読出し，該一覧のデータを表示部１６へ出力する
表示部１６は，一覧画面ＩＣＨのなかに，一覧表示制御部１１４から出力されてきた一覧を表示する
【００６５】
　より具体的には，表示部１６が図５に示した文字入力画面ＷＮＤを表示している間，
タブ選択部１１５からタブＴＢ２（デコメ）が通知された場合
当該タブＴＢ２に対応する「デコレーションメールの絵文字」の一覧のデータをＲＯＭ１２から読出して，該データを表示部１６へ出力する
表示部１６は
デコレーションメールの絵文字の一覧を含む一覧画面ＩＣＨを文字入力画面ＷＮＤのなかに表示する
　そして，本願明細書の発明の詳細な説明における上記の記載より，本願に係る発明は，絵文字・記号入力モードＭＯＤ（特定文字入力モード）において入力可能な文字の種類の一覧（例えば，絵文字の一覧や記号の一覧），又は定型文の一覧をタブごとに分別して示した一覧画面ＩＣＨを，表示部１６が表示している間，タブ選択部１１５から通知されたタブ（例えばタブＴＢ２（デコメ）又はタブＴＢ６（「ＵＲＬ」））に対応する絵文字や記号（例えば「デコレーションメールの絵文字」）の一覧のデータ，又は定型文（例えば「ｈｔｔｐ：／／」や「ｃｏ.ｊｐ」）の一覧のデータを表示部１６へ出力して表示すると認められる。
　そうすると，本願明細書の記載を参酌すれば，本件補正後の請求項４に記載の「選択手段」は，入力可能な文字の種類の一覧のデータ，又は定型文の一覧のデータを，分別して画面に表示するタブを含むと理解できる。
　ウ　以上から，本件補正後の請求項４に係る発明（以下「本願補正発明」という。）は，その発明特定事項の「選択手段」が，入力可能な文字の種類の一覧のデータ，又は定型文の一覧のデータを，分別して画面に表示するタブを含むと解したうえで，本件補正後の請求項４に記載されたとおりのものと認める。
　
（３）引用文献の記載と引用発明
　ア　引用文献の記載
　原査定の拒絶の理由に引用された，本願出願日前に日本国内において頒布された刊行物である，特開２００８−１７１１２７号公報（以下「引用文献１」という。）には，図１ないし６，図９，及び図１１とともに，次の記載がある。 
（ア）「【技術分野】
【０００１】
　
本発明は，携帯情報端末および文字入力処理の制御プログラムに関する
【背景技術】
【０００２】
　・・・
携帯電話機などの携帯情報端末では
１つのキーに複数の文字を割り当てて，文字種を切り替えて文字を入力したり，文字の配列表を用いて選択指示した文字を入力したりする方法がある
【０００３】
　・・・また，特許文献２では，
文字の配列表を画面に表示させ，その配列表の中から入力する文字を選択させる方法
よく用いる絵文字や記号を配列表に登録し，より早く文字等を入力する方法
・・・
【発明の開示】
【発明が解決しようとする課題】
・・・
【０００５】
　また，特許文献２や特許文献３の方法では，配列表にして一画面に表示できる文字数は限られているため，配列表は複数のページから構成されることとなる。このため，
所望の文字を入力させるには，その文字を含む配列表のページを画面に表示させる操作が必要であり，操作性が悪くなる
【０００６】
　
本発明は，上記のような問題を解決するためになされたものであって，その目的は，複数の文字種を効率的に入力することができる携帯情報端末を提供すること
・・・
【発明の効果】
【００２３】
　
本発明によれば，複数の文字種を効率的に入力することができる
（イ）「【００３１】
  ［実施の形態１］
・・・
【００３２】
　・・・
　図１および図２を参照して，携帯情報端末１について説明する。
この携帯情報端末１は
第１の筐体２および第２の筐体３が図示しないヒンジ部を介して連結され
【００３３】
　
第１の筐体２は，ディスプレイ４
を備える
　
第２の筐体３は
各種の操作キーおよび操作ボタンを含む操作部１７
操作部１７は
ソフトキー１０ａ，１０ｂ，１０ｃ，１０ｄ
テンキー１１
方向キー１２
確定キー１３
とを含む
・・・
【００３５】
  図３を参照して，携帯情報端末１の機能的構成について説明する。
  
携帯情報端末１の上記構成は
記憶部３２
携帯情報端末１全体の制御を行なう制御部３０
ユーザの操作により制御部３０へ動作の指示を行なう操作部１７
ディスプレイ４に表示する画像の表示制御を行なう表示ドライバ部３４とから構成される
【００３６】
  記憶部３２は，制御部３０が実行するプログラム，文字等の各種データが予め格納されている。また，
記憶部３２は，絵文字・記号パレット情報３２ａ
を含む
【００３７】
  
絵文字・記号パレット情報３２ａは
絵文字パレット
記号パレット
顔文字パレットを含む
絵文字パレット，記号パレットおよび顔文字パレットを総称して「絵記号パレット」と呼ぶ
・・・
【００３９】
　
制御部３０は，これらのパレット情報を記憶部３２から読み込むとともに，表示ドライバ部３４にパレット表示の切り替え等を指示する
キー操作によって選択指示される文字を入力文字として受け付ける
【００４０】
　
表示ドライバ部３４は，制御部３０からの指示に従い，絵文字・記号パレット情報３２ａ
に格納されたパレットのデータをディスプレイ４に表示させる
制御部３０の指示に従って，キー操作により選択指示された文字をディスプレイ４に表示させる
（ウ）「【００４２】
　
図４を参照して，ディスプレイ４の表示と操作部１７のキー操作について説明する
　まず，図４（ａ）を参照して，操作部１７の各キーについて説明する。
【００４３】
　図４（ａ）に示すように，
操作部１７は，携帯情報端末１を操作するためのキーとして，ソフトキー１０ａ，１０ｂ，１０ｃ，１０ｄ
テンキー１１
方向キー１２
確定キー１３
とを含む
【００４４】
　
各ソフトキーに対しては，ディスプレイ上にそのキーに割り当てられた少なくとも１つの機能が表示される
・・・
【００４９】
　次に，図４（ｂ）を参照して，
文字入力画面において操作部１７と入力画面との対応関係について説明する
【００５０】
　
図４（ｂ）に示す文字入力画面では，ユーザが操作部１７のいずれかのキーを押下することによって，カーソル１１４の示す箇所に文字が入力される
・・・
【００５４】
　・・・
ソフトキー１０ｄを押下すると
一般的によく使用される文章（定型文）が示された定型文選択画面が表示される
【００５５】
　
ディスプレイ４の行１０１には
ソフトキー１０ａ
を押下すると実行される機能
の簡単な説明が示されている
【００５６】
　具体的には，
ソフトキー１０ａを押下すると
絵記号パレットのいずれか一つのパレットが表示される。たとえば，図４（ｃ）に示すような，絵文字パレットＰ１が示される
・・・
【００５９】
　次に，図４（ｃ）を参照して，絵記号パレットが表示された画面において操作部１７と入力画面との対応関係について説明する。
【００６０】
　図４（ｃ）に示すように，絵文字パレットＰ１が表示されている場合，ユーザは指示カーソル１２８を，方向キー１２を上下左右に押下することによりパレット内を移動させることができる。・・・
【００６１】
　上述したように，ディスプレイ４の行１００および行１０１には，所定のキーを押下したときに実行される機能の簡単な説明が示されている。
【００６２】
　
ソフトキー１０ａを押下すると，符号１０２で示す機能が実行され，絵記号パレットの表示が切り替わる
（エ）「【００７４】
・・・
　図５を参照して，入力状態の遷移について説明する。なお，以下の説明では，特に言及がない限り，
ソフトキー１０ａをソフトキーＡ
テンキー１１をテンキー
ディスプレイ４をディスプレイと呼ぶ
【００７５】
　
本実施の形態に係る携帯情報端末１において，文字を入力する状態は
絵記号パレットのいずれかにより文字を入力する絵記号パレット入力状態Ｍ２
とがある
【００７６】
　テンキー入力状態Ｍ１では，任意の入力モードで文字を入力することができる。ここで，
ソフトキーＡを押下すると，絵記号パレット入力状態Ｍ２に遷移する
ソフトキーＡを短く押下する場合は，単に「ソフトキーＡの押下」という
・・・
【００８５】
　図６を参照して，絵記号パレット入力状態Ｍ２におけるディスプレイの表示について説明する。
【００８６】
　画面Ｓ１は，テンキー入力状態Ｍ１におけるディスプレイの画面を示す。ここで，
ソフトキーＡを押下すると，絵記号パレット入力状態Ｍ２に遷移し，ディスプレイは，たとえば，画面Ｓ３のような表示になる
【００８７】
　
画面Ｓ３は，絵文字パレットＰ１が表示された画面を示す。ここで，ソフトキーＡを押下すると，ディスプレイは画面Ｓ５に切り替わる
【００８８】
　
画面Ｓ５は，記号パレットＰ３が表示された画面を示す。ここで，ソフトキーＡを押下するとディスプレイは画面Ｓ７に切り替わる
【００８９】
　
画面Ｓ７は，顔文字パレットＰ５が表示された画面を示す。ここで，ソフトキーＡを押下するとディスプレイは画面Ｓ３に切り替わる
【００９０】
　このように，
絵記号パレット入力状態Ｍ２では，キーの押下回数により巡回的にパレットの表示が切り替わる
・・・
【０１０７】
　・・・
　
図９
・・・
【０１１１】
　また，
ソフトキーＡが短く押下されたと判断すれば
ステップＳ１１２において，制御部３０は，後述する絵記号パレット入力処理を実行し
・・・
【０１２２】
　図１１を参照して，
図９のステップＳ１１２における絵記号パレット入力処理について説明する
【０１２３】
　ステップＳ１５２において，制御部３０は，いずれのキーが押下されたかを確認する。
　キーが押下されていないと判断すれば（ステップＳ１５２において，ＮＯ），制御部３０はステップＳ１５２の処理に戻る。
【０１２４】
　
押下されたキーがソフトキーＡであると判断すれば
制御部３０は，表示ドライバ部３４に対し，絵記号パレットの表示を切り替えるよう指示し
　イ　引用発明 
（ア）上記ア（イ）より，引用文献１記載の携帯情報端末は，ソフトキー１０ａ，１０ｂ，１０ｃ，１０ｄ，テンキー１１，方向キー１２，及び確定キー１３を含む操作部１７を有するといえる。
　そして，上記ア（イ）によれば，引用文献１記載の携帯情報端末は，ディスプレイ４を備え，また，上記ア（ウ）によれば，上記携帯情報端末におけるディスプレイ４の表示と操作部１７のキー操作について，文字入力画面では，ユーザが操作部１７のいずれかのキーを押下することによって，カーソル１１４の示す箇所に文字が入力される。
　してみれば，引用文献１記載の発明における携帯情報端末は，操作部１７のいずれかのキーを押下することによって文字が入力される文字入力画面を表示するディスプレイ４を有するということができる。
　そして，上記ア（イ）より，引用文献１記載の携帯情報端末は，絵で事象や意味等を表現した複数のアイコンデータから構成される絵文字パレット，句読点，カンマ，ピリオドなどの記号のデータから構成される記号パレット，及び文字や記号を組み合わせて顔の表情を表現した，記号の組み合わせのデータから構成される顔文字パレットを含む絵文字・記号パレット情報３２ａを記憶する記憶部３２を有するといえる。
（イ）上記ア（イ）によれば，引用文献１記載の携帯情報端末では，制御部３０は，絵文字・記号パレット情報３２ａを記憶部３２から読み込むとともに，表示ドライバ部３４にパレット表示の切り替え等を指示し，表示ドライバ部３４は，制御部３０からの指示に従い，絵文字・記号パレット情報３２ａに格納されたパレットのデータをディスプレイ４に表示させる。
　そして，上記ア（ウ）によれば，引用文献１記載の携帯情報端末は，ソフトキー１０ａを押下すると，絵記号パレットのいずれか一つのパレットが表示され，さらにソフトキー１０ａを押下すると，絵記号パレットの表示が切り替わる。
　また，上記ア（エ）によれば，ソフトキー１０ａを押下すると，文字を入力する状態は絵記号パレット入力状態Ｍ２に遷移し，絵記号パレット入力状態Ｍ２では，キーの押下回数により巡回的にパレットの表示が切り替わる。
　そうすると，引用文献１記載の携帯情報端末では，ソフトキー１０ａを押下すると，文字を入力する状態が絵記号パレット入力状態Ｍ２に遷移し，絵文字・記号パレット情報３２ａに格納されたパレットのいずれか一つのパレットのデータをディスプレイ４に表示させる処理と，絵記号パレット入力状態Ｍ２でソフトキー１０ａを押下すると，絵文字・記号パレット情報３２ａに格納されたパレットのデータをディスプレイ４に表示させ，ソフトキー１０ａの押下回数により巡回的にパレットの表示が切り替わる処理とが行われるということができる。
（ウ）上記（ア）及び（イ）より，引用文献１には，ソフトキー１０ａ，１０ｂ，１０ｃ，１０ｄ，テンキー１１，方向キー１２，及び確定キー１３を含む操作部１７と，操作部１７のいずれかのキーを押下することによって文字が入力される文字入力画面を表示するディスプレイ４と，絵で事象や意味等を表現した複数のアイコンデータから構成される絵文字パレット，句読点，カンマ，ピリオドなどの記号のデータから構成される記号パレット，及び文字や記号を組み合わせて顔の表情を表現した，記号の組み合わせのデータから構成される顔文字パレットを含む絵文字・記号パレット情報３２ａを記憶する記憶部３２とを有する携帯情報端末において，操作部１７のソフトキー１０ａを押下すると，文字を入力する状態が絵記号パレット入力状態Ｍ２に遷移し，絵文字・記号パレット情報３２ａに格納されたパレットのいずれか一つのパレットのデータをディスプレイ４に表示させる処理と，絵記号パレット入力状態Ｍ２でソフトキー１０ａを押下すると，絵文字・記号パレット情報３２ａに格納されたパレットのデータをディスプレイ４に表示させ，ソフトキー１０ａの押下回数により巡回的にパレットの表示が切り替わる処理とが行われることが記載されていると認められるから，引用文献１には，上記の構成を有する携帯情報端末による，文字入力画面を表示するための方法が記載されているということができる。
　そうすると，引用文献１には，携帯情報端末による文字入力画面表示方法の発明が記載されていると認められる。
（エ）上記（ア）ないし（ウ）より，引用文献１には，次の発明（以下「引用発明」という。）が記載されていると認められる。
「ソフトキー１０ａ，１０ｂ，１０ｃ，１０ｄ，テンキー１１，方向キー１２，及び確定キー１３を含む操作部１７と，操作部１７のいずれかのキーを押下することによって文字が入力される文字入力画面を表示するディスプレイ４と，絵で事象や意味等を表現した複数のアイコンデータから構成される絵文字パレット，句読点，カンマ，ピリオドなどの記号のデータから構成される記号パレット，及び文字や記号を組み合わせて顔の表情を表現した，記号の組み合わせのデータから構成される顔文字パレットを含む絵文字・記号パレット情報３２ａを記憶する記憶部３２とを有する携帯情報端末による文字入力画面表示方法であって，
　操作部１７のソフトキー１０ａを押下すると，文字を入力する状態が絵記号パレット入力状態Ｍ２に遷移し，絵文字・記号パレット情報３２ａに格納されたパレットのいずれか一つのパレットのデータをディスプレイ４に表示させる処理と，
　絵記号パレット入力状態Ｍ２でソフトキー１０ａを押下すると，絵文字・記号パレット情報３２ａに格納されたパレットのデータをディスプレイ４に表示させ，ソフトキー１０ａの押下回数により巡回的にパレットの表示が切り替わる処理とを有する文字入力画面表示方法。」
　
（４）周知例の記載と周知技術
　ア　周知例１
　原査定の拒絶の理由に引用された，本願出願日前に日本国内において頒布された刊行物である，「ＦＯＭＡ　ＳＯ９０６ｉ　取扱説明書」（株式会社エヌ・ティ・ティ・ドコモ，２００８年　５月，以下「周知例１」という。）には，図とともに次の記載がある。
「かな入力方式で文字を入力する
予測変換を使って入力する
例：「健闘」と入力する場合
１　文字入力画面で文字モードを確認する
・・・
２　□２（当審注．審決起案システム上の制限により，文字を四角形で囲んだものを，このように記す。以下同じ。）を４回押す
・・・
３　□０を３回，□４を５回押す
・・・
語句候補リストを切り替える場合
　
□ｉ（タブ　＞）を押します。□ｉ（タブ　＞）を押すたびに，英数カナ→絵顔記→直変換→予測の順に語句変換候補リストが切り替わります
　
　
　イ　周知例２
　原査定の拒絶の理由に引用された，本願出願日前に日本国内において頒布された刊行物である，「Ａ５３０２ＣＡ　取扱説明書」（ａｕ，２００２年１２月，以下「周知例２」という。）には，図とともに次の記載がある。
「２　・・・
アドレス帳詳細画面が表示されます。
○← →
：タブを切り替える
　
　
　ウ　周知例３
　本願出願日前に日本国内において頒布された刊行物である，特開２００６−１６３４９９号公報（以下「周知例３」という。）には，図７とともに次の記載がある。
「【背景技術】
【０００２】
  近年，例えば，特許文献１に示すように，複数のウィンドウを表示できる機能，いわゆる
マルチウィンドウ機能を搭載した携帯情報端末が知られている
【０００３】
  
マルチウィンドウ機能の代表的な方式としてタブ方式を挙げることができる
タブ方式は，図７に示すように，ウィンドウ表示領域Ａ内に内容表示１とタブ表示２とからなるウィンドウ３（ａ）〜３（ｃ）を表示する際，内容表示１部分を重ね合わせて表示するとともに，タブ表示２部分を各ウィンドウ３（ａ）〜３（ｃ）間で重ならないように表示させるものである
【０００４】
  
このタブ方式は
見たいウィンドウ３（ａ）を画面最前に表示するとともに，開いている全てのウィンドウ３（ａ）〜３（ｃ）のタブ表示２を常に一覧表示する
利用者は，ウィンドウの状態（すなわち，何枚のウィンドウが開き，何番目のウィンドウが表示されているか等の状態）を一目で把握することができる
前記タブ方式は，ウィンドウ状態の視認性に優れている
表示させたいウィンドウを変更する場合，キーやポインティングデバイスの操作によりカーソルを移動させ，所望のタブ表示２をクリックするといった簡単な作業で済むなど，操作性にも優れている
　エ　周知例４
　本願出願日前に日本国内において頒布された刊行物である，特開２００２−２６１９１８号公報（以下「周知例４」という。）には，図１６とともに次の記載がある。
「【０１３３】〔タブメニュー〕先に，図６でメインメニュー画面４０を説明したが，
かかるメインメニュー画面を，オプションで，タブメニューとして設定することができる
【０１３４】図１６はかかるメインメニュー画面の他の具体例を示す図である。
【０１３５】同図（ａ）において，
メインメニュー画面６０の上部には，選択項目のアイコン６２が横方向に配列された選択項目表示欄６１が設けられており，この選択項目表示欄６１の一部に窓部６１ａが形成されて，その窓部６１ａ内に１つのアイコン６２が必ず存在している
この窓部６１ａ内のアイコン６２以外のアイコン６２は，この窓部６１ａ内のアイコン６２から離れるにつれて重なり部分が大きくなるようにして，一列に表示されている
【０１３６】また，メインメニュー画面６０には，機能項目欄６４が設けられ，
選択項目表示欄６１の窓部６１ａ内の選択項目６２に対する図８に示したような機能選択画面６５が表示される。この機能選択画面６５は，この画面の標題が表示される項目表示領域６３と選択機能項目が配列されて表わされた機能項目欄６４とからなっている
【０１３７】
選択項目表示欄６１の窓部６１ａは，ジョイスティック７の左右倒し操作により，選択項目表示欄６１内を左右方向に移動する。これにより，この窓部６１ａ内に入るアイコン６２を変更することができ，つまりは，フォーカスを当てるアイコン６２を変更することができる
【０１３８】
このようにして，この具体例では，メインメニュー画面とこれから選択した機能選択画面６５とが表示画面１（図１）に同時に表示されることになる
・・・
【０１５１】さらに，本発明によると，
メインメニュー画面とこれで選択された機能選択画面とを同時に表示させることができるので，この機能選択画面から直接他の機能選択画面の選択を行なうことができ，操作性が向上する
　オ　周知例５
　本願出願日前に日本国内において頒布された刊行物である，特開２００３−２８３６３５号公報（以下「周知例５」という。）には，図１とともに次の記載がある。
「【００２０】
【発明の実施の形態】以下図面を参照して本発明の実施形態について説明する。図１は本発明の実施形態による
携帯端末装置の一例である携帯電話の構成を示す概略図である
【００２１】・・・さらに，着信音，着信画面および電話番号登録等の
通話に関する設定
メールに関する設定
カメラの機能の設定を行う際には設定に必要な設定リストが液晶モニタ３に表示される
通話操作時，メール操作時およびカメラ操作時においては，各操作において必要な操作リストが液晶モニタ３に表示される
【００２２】ここで本実施形態においては，
各種機能の設定時および各種機能の操作時には，各種機能設定画面および各種機能操作画面が図１に示すようにマルチウィンドウ表示される
通話，メールおよびカメラの設定画面をマルチウィンドウ表示した状態を示す
タブの色が設定内容および操作内容に応じてそれぞれ異なるものとなるように，液晶モニタ３の表示が制御される
　カ　周知例６
　本願出願日前に日本国内において頒布された刊行物である，特開２００７−９４８３６号公報（以下「周知例６」という。）には，図３（ｂ）とともに次の記載がある。
「【００１６】
  以下，本発明の好適な実施の形態について図面を参照しながら詳細に説明する。
本実施の形態では電子機器の一例として携帯電話端末１００を挙げて説明する
・・・
【００３６】
  例２）一覧表示のフォーカス移動のためのキー操作
  例えば，図３（ｂ）に示すように，
電話帳等の登録内容の一覧表示において，矢印キー１１２の左右方向の指示により文字の行を表すタブの切替表示が行われ，
　キ　周知技術
　上記アないしカより，画面に内容表示部分とタブ表示部分とからなるウィンドウを複数表示させる，タブ方式のマルチウィンドウ機能を，携帯電話機などの携帯情報端末に搭載することは，周知例１ないし６にみられるように，本願出願日前，当該技術分野では周知の技術であったと認められる。
　そして，上記タブ方式のマルチウィンドウ機能において，上記内容表示部分を重ね合わせて表示するとともに，上記タブ表示部分を各ウィンドウ間で重ならないように表示させることにより，見たいウィンドウを画面最前に表示するとともに，全てのウィンドウのタブ表示部分を常に一覧表示すること，キーやポインティングデバイスの操作によりカーソルを移動させ，所望のタブ表示部分をクリックすることにより表示させたいウィンドウを変更すること，及び表示させたいウィンドウのタブ表示部分を異なるように表示させることは，周知例１ないし６にみられるように，本願出願日前，普通に行われていたものといえる。
　また，タブ方式のマルチウィンドウ機能が操作性に優れていることは，周知例３及び４にみられるように，本願出願日前，当業者にはよく知られた事項であったといえる。
　
（５）本願補正発明と引用発明との対比
　ア　引用発明における「ソフトキー１０ａ，１０ｂ，１０ｃ，１０ｄ，テンキー１１，方向キー１２，及び確定キー１３を含む操作部１７」，「操作部１７のいずれかのキーを押下することによって文字が入力される文字入力画面」，及び「ディスプレイ４」は，それぞれ，本願補正発明の「複数の入力手段」，「前記入力手段により指定された文字を表示するための編集画面」，及び「表示手段」に相当するといえる。
　そして，引用発明における「絵で事象や意味等を表現した」「絵文字」，「句読点，カンマ，ピリオドなどの」「記号」，及び「文字や記号を組み合わせて顔の表情を表現した」「顔文字」は，いずれも，本願補正発明の「文字種」に相当するといえる。
　また，「絵で事象や意味等を表現した複数のアイコンデータから構成される絵文字パレット，句読点，カンマ，ピリオドなどの記号のデータから構成される記号パレット，及び文字や記号を組み合わせて顔の表情を表現した，記号の組み合わせのデータから構成される顔文字パレットを含む「絵文字・記号パレット情報３２ａ」は，本願補正発明の「文字種ごとに分類された文字」に相当するといえる。
　そうすると，後述する相違点に係る構成を除き，本願補正発明の「記憶手段」と引用発明における「記憶部３２」とは，「文字種ごとに分類された文字を記憶する記憶手段」である点で共通する。
　そして，引用発明における「携帯情報端末」は，本願補正発明の「携帯型電子装置」に相当するといえる。
　以上から，後述する相違点に係る構成を除き，本願補正発明と引用発明とは，「複数の入力手段と，前記入力手段により指定された文字を表示するための編集画面を表示する表示手段と，文字種ごとに分類された文字を記憶する記憶手段とを有する携帯型電子装置による文字入力画面表示方法」である点で共通するといえる。
　イ　引用発明における「操作部１７のソフトキー１０ａを押下すると，文字を入力する状態が絵記号パレット入力状態Ｍ２に遷移し，絵文字・記号パレット情報３２ａに格納されたパレットのいずれか一つのパレットのデータをディスプレイ４に表示させる処理」により，文字を入力する状態が絵記号パレット入力状態Ｍ２に切り替わり，絵文字・記号パレット情報３２ａに含まれる，絵文字パレット，記号パレット，及び顔文字パレットのいずれかの情報が選択できるようになるということができる。
　そして，上記の文字を入力する状態，及び絵記号パレット入力状態Ｍ２は，それぞれ，文字を入力するモード，及び絵記号パレット入力モードＭ２ともいえる。
　そうすると，引用発明における上記の処理は，入力する文字種を選択できるようにするモード切替処理ということができる。
　以上から，後述する相違点に係る構成を除き，本願補正発明と引用発明とは，「入力する文字種を選択できるようにするモード切替処理」を有する点で共通するといえる。
　ウ　引用発明における「絵記号パレット入力状態Ｍ２でソフトキー１０ａを押下すると，絵文字・記号パレット情報３２ａに格納されたパレットのデータをディスプレイ４に表示させ，ソフトキー１０ａの押下回数により巡回的にパレットの表示が切り替わる処理」により，「絵記号パレット入力状態Ｍ２でソフトキー１０ａを押下する」ことで特定の文字種の入力が選択され，該特定の文字種に対応する文字を，記憶部３２の絵文字・記号パレット情報３２ａから読み出してディスプレイ４に表示させるように制御しているといえる。
　そうすると，引用発明における上記の処理は，特定の文字種の入力が選択され，該特定の文字種に対応する文字を，記憶部３２の絵文字・記号パレット情報３２ａから読み出してディスプレイ４に表示させるようにする制御処理ということができる。
　以上から，後述する相違点に係る構成を除き，本願補正発明と引用発明とは，「特定の文字種の入力が選択され，該特定の文字種に対応する文字を前記記憶手段から読み出して前記表示手段に表示させる制御処理」を有する点で共通するといえる。
　エ　上記アないしウより，本願補正発明と引用発明との一致点と相違点は，次のとおりであると認められる。
（ア）一致点
「複数の入力手段と，前記入力手段により指定された文字を表示するための編集画面を表示する表示手段と，文字種ごとに分類された文字を記憶する記憶手段とを有する携帯型電子装置による文字入力画面表示方法であって，
　入力する文字種を選択できるようにするモード切替処理と，
　特定の文字種の入力が選択され，該特定の文字種に対応する文字を前記記憶手段から読み出して前記表示手段に表示させる制御処理とを有する文字入力画面表示方法。」
（イ）相違点
　・相違点１
　一致点に係る構成の「文字種ごとに分類された文字を記憶する記憶手段」について，本願補正発明は「複数の定型文を記憶する」ことを含むのに対し，引用発明は「複数の定型文を記憶する」ものではない点。
　・相違点２
　一致点に係る構成の「入力する文字種を選択できるようにするモード切替処理」について，本願補正発明は「入力する文字種」「を選択するための選択手段を呼び出す」ものであるのに対し，引用発明では「入力する文字種」を選択できるようにする点について，「選択手段を呼び出す」ことは特定されていない点。
　・相違点３
　一致点に係る構成の「入力する文字種を選択できるようにするモード切替処理」について，本願補正発明は「定型文の入力を選択する」ことを含むのに対し，引用発明は「定型文の入力を選択する」ものではない点。
　・相違点４
　一致点に係る構成の「特定の文字種の入力が選択され，該特定の文字種に対応する文字を前記記憶手段から読み出して前記表示手段に表示させる制御処理」について，本願補正発明は「特定の文字種の入力を示す選択手段が選択される」のに対し，引用発明では「特定の文字種の入力が選択され」る点について，「選択手段が選択される」ことは特定されていない点。
　・相違点５
　一致点に係る構成の「特定の文字種の入力が選択され，該特定の文字種に対応する文字を前記記憶手段から読み出して前記表示手段に表示させる制御処理」について，本願補正発明は「前記定型文の入力を示す選択手段が選択されると，前記複数の定型文を前記記憶手段から読み出して前記表示手段に表示させる」ことを含むのに対し，引用発明は上記の処理を行うものではない点。
　・相違点６
　一致点に係る構成の「特定の文字種の入力が選択され，該特定の文字種に対応する文字を前記記憶手段から読み出して前記表示手段に表示させる制御処理」について，本願補正発明は，「前記モード切替処理によって前記選択手段が呼び出された場合，前記編集画面の一部領域上に，複数の前記選択手段を表示させ，該複数の選択手段のうち１つの選択手段が選択されると，該１つの選択手段が特定の文字種の入力を示す場合には，該特定の文字種に対応する文字を表示させ」，「該１つの選択手段を，入力する該特定の文字種」「を選択している状態として他の選択手段とは異なるように表示させる処理を含む」ものであるのに対し，引用発明は上記の処理を行うものではない点。
　・相違点７
　一致点に係る構成の「特定の文字種の入力が選択され，該特定の文字種に対応する文字を前記記憶手段から読み出して前記表示手段に表示させる制御処理」について，本願補正発明は，「前記モード切替処理によって前記選択手段が呼び出された場合，前記編集画面の一部領域上に，複数の前記選択手段を表示させ，該複数の選択手段のうち１つの選択手段が選択されると」，「該１つの選択手段が定型文の入力を示す場合には，複数の定型文を表示させ，該１つの選択手段を」，「定型文の入力を選択している状態として他の選択手段とは異なるように表示させる処理を含む」ものであるのに対し，引用発明は上記の処理を行うものではない点。
　
（５）相違点についての検討
　上記（５）エ（イ）より，本願補正発明と引用発明との相違点は，入力する文字種の選択及び選択した文字種に対応する文字の表示に関する相違点（相違点２，相違点４及び相違点６）と，定型文の入力の選択及び選択した定型文の表示に関する相違点（相違点１，相違点３，相違点５及び相違点７）とに大別されると認められる。
　以下，はじめに前者の相違点についてまとめて検討し，続いて後者の相違点についてまとめて検討する。
　ア　相違点２，相違点４及び相違点６について
（ア）上記（３）イで検討したとおり，引用発明は，携帯情報端末による文字入力画面表示方法であって，操作部１７のソフトキー１０ａを押下すると，文字を入力する状態が絵記号パレット入力状態Ｍ２に遷移し，絵文字・記号パレット情報３２ａに格納されたパレットのいずれか一つのパレットのデータをディスプレイ４に表示させる処理と，絵記号パレット入力状態Ｍ２でソフトキー１０ａを押下すると，絵文字・記号パレット情報３２ａに格納されたパレットのデータをディスプレイ４に表示させ，ソフトキー１０ａの押下回数により巡回的にパレットの表示が切り替わる処理とを有するといえる。
　そして，上記（３）ア（ア）より，引用発明は，所望の文字を入力させるには操作性が悪くなるとの従来技術の問題を解決するため，複数の文字種を効率的に入力することができる携帯情報端末を提供することを目的とし，これを達成したものと認められる。
　他方，上記（４）キより，画面に内容表示部分とタブ表示部分とからなるウィンドウを複数表示させる，タブ方式のマルチウィンドウ機能を，携帯電話機などの携帯情報端末に搭載することは，本願出願日前，当該技術分野では周知の技術と認められる。
　そして，上記（４）キより，上記タブ方式のマルチウィンドウ機能において，上記内容表示部分を重ね合わせて表示するとともに，上記タブ表示部分を各ウィンドウ間で重ならないように表示させることにより，見たいウィンドウを画面最前に表示するとともに，全てのウィンドウのタブ表示部分を常に一覧表示すること，キーやポインティングデバイスの操作によりカーソルを移動させ，所望のタブ表示部分をクリックすることにより表示させたいウィンドウを変更すること，及び表示させたいウィンドウのタブ表示部分を異なるように表示させることは，本願出願日前，普通に行われていたものといえる。
　また，タブ方式のマルチウィンドウ機能が操作性に優れていることは，本願出願日前，当業者にはよく知られた事項であったといえる。
　そうすると，複数の文字種の効率的な入力を目的とする引用発明において，絵文字・記号パレット情報３２ａに格納されたパレット（絵文字パレット，記号パレット及び顔文字パレット）のデータをディスプレイ４に表示させる際に，タブ方式のマルチウィンドウ機能を用いて，上記絵文字・記号パレット情報３２ａに格納されたパレットについて，画面に内容表示部分とタブ表示部分とからなるウィンドウを複数表示させ，上記内容表示部分を重ね合わせて表示するとともに，上記タブ表示部分を各ウィンドウ間で重ならないように表示させることにより，見たいパレットのウィンドウを画面最前に表示するようにするとともに，全てのパレットのウィンドウのタブ表示部分を常に一覧表示すること，キーやポインティングデバイスの操作によりカーソルを移動させ，所望のタブ表示部分をクリックすることにより表示させたいパレットのウィンドウを変更すること，及び表示させたいパレットのウィンドウのタブ表示部分を異なるように表示させることは，携帯情報端末の操作性の向上のために，上記周知技術を適用することにより，当業者が容易に想到し得たものと認められる。
（イ）上記（ア）で検討したとおり，引用発明において，絵文字・記号パレット情報３２ａに格納されたパレットのデータをディスプレイ４に表示させる際に，タブ方式のマルチウィンドウ機能を用いるようにすることは，上記周知技術を適用することにより当業者が容易に想到し得たものであり，その際に，各ウィンドウ間で重ならないように表示されるタブ表示部分に，ウィンドウが絵文字，記号及び顔文字（本願補正発明の「文字種」に相当。）のいずれのパレットに対応するかを示す表示をして，キーやポインティングデバイスの操作で所望のタブ表示部分をクリックすることにより，表示させたいパレットのウィンドウを選択できるようにすることは，当然に行われるものである。
　そして，上記（２）より，本願補正発明における「選択手段」は，入力可能な文字の種類の一覧それぞれを，当該種類に応じて分別して画面に表示するタブを含むと解されるから，引用発明に上記周知技術を適用して得られた上記タブ表示部分は，本願補正発明における「選択手段」ということができる。
　そうすると，引用発明に上記周知技術を適用することにより，操作部１７のソフトキー１０ａを押下して，文字を入力する状態が絵記号パレット入力状態Ｍ２に遷移することで，文字種（絵文字，記号及び顔文字）を選択する選択手段（タブ表示部分）を呼び出し（相違点２に係る構成），特定の文字種の入力を示す選択手段が選択される（相違点４に係る構成）ようになるものと認められる。
　さらに，引用発明において，上記周知技術を適用して，タブ方式のマルチウィンドウ機能を用いて，画面に内容表示部分とタブ表示部分とからなるウィンドウを複数表示させる際に，文字入力画面（本願補正発明の「編集画面」に相当。）の一部領域上に表示させることは，周知例１にみられるように，当業者が普通に行い得るものである。
　したがって，引用発明において，モード切替処理によって選択手段が呼び出された場合，編集画面の一部領域上に，複数の上記選択手段を表示させ，該複数の選択手段のうち１つの選択手段が選択されると，該１つの選択手段が特定の文字種の入力を示す場合には，該特定の文字種に対応する文字を表示させ，該１つの選択手段を，入力する該特定の文字種を選択している状態として他の選択手段とは異なるように表示させる処理を含むようにすること（相違点６に係る構成）は，上記周知技術に基づいて，当業者が容易に想到し得たものと認められる。
（ウ）以上から，引用発明において，相違点２，相違点４，及び相違点６に係る構成とすることは，上記周知技術に基づいて当業者が容易に想到し得たものである。
　イ　相違点１，相違点３，相違点５及び相違点７について
（ア）上記（３）ア（ウ）によれば，引用文献１には，ソフトキー１０ｄを押下すると，一般的によく使用される文章（定型文）が示された定型文選択画面が表示されること（段落【００５４】）が記載されている。
　そうすると，引用発明において，記憶部３２が複数の定型文を記憶することは，引用文献１に明示されていなくても，定型文選択画面を表示するうえで当然のことといえるから，相違点１に係る構成は，引用発明も備えるものと認められ，本願補正発明と引用発明との実質的な相違点ということはできない。
　仮にそうでないとしても，引用発明において，記憶部３２が複数の定型文を記憶する構成とすることは，引用文献１の上記の記載に基づき，定型文選択画面を表示するために，当業者が普通に行い得るものである。
　以上から，相違点１に係る構成は，引用発明が実質的に備えているか，又は引用発明において当業者が普通に行い得るものである。
（イ）上記アで検討したとおり，引用発明において，上記周知技術を適用し，タブ方式のマルチウィンドウ機能を用いて，画面に内容表示部分とタブ表示部分とからなるウィンドウを複数表示させることは，当業者が容易に想到し得るものであり，その結果，操作部１７のソフトキー１０ａを押下して，文字を入力する状態が絵記号パレット入力状態Ｍ２に遷移することで，文字種（絵文字，記号及び顔文字）を選択する選択手段（タブ表示部分）を呼び出し（相違点２に係る構成），特定の文字種の入力を示す選択手段が選択される（相違点４に係る構成）ようになるものと認められる。
　そして，上記（ア）で検討したとおり，引用発明において，記憶部３２が複数の定型文を記憶する構成とすることは，引用発明が実質的に備えているか，又は引用発明において当業者が普通に行い得るものである。
　そうすると，引用発明において，上記周知技術を適用する際に，操作部１７のソフトキー１０ａを押下して，文字を入力する状態が絵記号パレット入力状態Ｍ２に遷移することで，上記記憶部３２に記憶された文字種（絵文字，記号及び顔文字）と同様，定型文の入力を選択するための選択手段を呼び出し（相違点３に係る構成），定型文の入力を示す選択手段が選択されると，複数の定型文を上記記憶部３２から読み出してディスプレイ４（本願補正発明の「表示手段」に相当。）に表示させる（相違点５に係る構成）ようにすることは，当業者が適宜行い得るものということができる。
　さらに，上記アで検討したとおり，引用発明において，モード切替処理によって選択手段が呼び出された場合，編集画面の一部領域上に，複数の上記選択手段を表示させ，該複数の選択手段のうち１つの選択手段が選択されると，該１つの選択手段が特定の文字種の入力を示す場合には，該特定の文字種に対応する文字を表示させ，該１つの選択手段を，入力する該特定の文字種を選択している状態として他の選択手段とは異なるように表示させる処理を含むようにすること（相違点６に係る構成）は，上記周知技術に基づいて，当業者が容易に想到し得たものと認められる。
　したがって，引用発明において，モード切替処理によって選択手段が呼び出された場合，編集画面の一部領域上に，複数の上記選択手段を表示させ，該複数の選択手段のうち１つの選択手段が選択されると，該１つの選択手段が定型文の入力を示す場合には，複数の定型文を表示させ，該１つの選択手段を，定型文の入力を選択している状態として他の選択手段とは異なるように表示させる処理を含むようにすること（相違点７に係る構成）も，相違点６に係る構成と同様，上記周知技術に基づいて，当業者が容易に想到し得たものと認められる。
（ウ）以上から，引用発明において，相違点１，相違点３，相違点５及び相違点７に係る構成とすることは，上記周知技術に基づいて当業者が容易に想到し得たものである。
　
（６）本願補正発明の作用効果について
　本願明細書の記載によれば，従来技術である特定のキーを押下する入力ごとに入力可能な文字の種類を切替える方法においては，入力可能な文字の種類の数が多い場合には，利用者が入力を所望する文字の種類を選択する際の操作が煩雑となってしまうという問題点があった（段落【０００７】及び【０００８】）ので，本願に係る発明は，上記の課題を解決する文字入力画面表示方法を提供することを目的とし（段落【００１２】），「携帯型電子装置が具備する画面に表示されている文書データの編集を行う利用者の利便性を損なうことなく，当該特定の種類の文字の入力を受付けるための画面へ容易に切替えることができる」（段落【００１７】）との作用効果を奏するものである。
　しかし，上記（５）で検討したとおり，本願補正発明と引用発明との相違点１ないし７は，いずれも，引用発明において，携帯情報端末の操作性の向上のために，上記周知技術を適用することにより，当業者が容易に想到し得たものと認められ，また，特定の種類の文字の入力を受付けるための画面へ容易に切替えることができるという，本願補正発明が奏する作用効果も，上記（４）キより，上記周知技術におけるタブ方式のマルチウィンドウ機能の作用効果から，当業者が容易に予測し得るものと認められる。
　そうすると，本願補正発明が奏する作用効果は，格別のものとはいえない。
　
（７）まとめ 
　本件補正後の請求項４に係る発明（本願補正発明）は，引用文献１記載の発明（引用発明）及び上記周知技術に基づいて，当業者が容易に発明をすることができたものであり，特許法第２９条第２項の規定により，特許出願の際独立して特許を受けることができないものである。 
  
５　むすび 
　したがって，本件補正は，特許法第１７条の２第６項において準用する同法第１２６条第７項の規定に違反するので，同法第１５９条第１項の規定において読み替えて準用する同法第５３条第１項の規定により却下すべきものである。 
　 
第３　本願発明の容易想到性について
　
１　本願発明について 
　平成２６年１月２８日に提出された手続補正書による手続補正は前記のとおり却下された。そして，平成２５年６月２４日付け手続補正書の特許請求の範囲の請求項４の記載は，次のとおりである。（再掲）
　「【請求項４】
　複数の入力手段と，前記入力手段により指定された文字を表示するための編集画面を表示する表示手段と，文字種ごとに分類された文字を記憶する記憶手段とを有する携帯型電子装置による文字入力画面表示方法であって，
　前記文字種を選択するための選択手段を呼び出すモード切替処理と，
　前記選択手段によって文字種が選択されると，該選択手段によって選択された文字種に対応する文字を前記記憶手段から読み出して前記表示手段に表示させる制御処理とを有し，
　前記制御処理は，前記モード切替処理によって前記選択手段が呼び出された場合，前記編集画面の一部領域上に，複数の前記選択手段と，該複数の選択手段のうち１つの選択手段の特定の文字種に対応する文字とを表示させ，前記１つの選択手段を，前記特定の文字種に対応する文字種を選択している状態として他の選択手段とは異なるように表示させる処理を含むことを特徴とする文字入力画面表示方法。」
　そうすると，前記第２の４（２）より，本願の請求項４に係る発明（以下「本願発明」という。）は，その発明特定事項の「選択手段」が，入力可能な文字の種類の一覧のデータ，又は定型文の一覧のデータを，分別して画面に表示するタブを含むと解したうえで，平成２５年６月２４日付け手続補正書の特許請求の範囲の請求項４に記載されたとおりのものと認める。
　
２　引用文献の記載と引用発明 
　引用文献１の記載は，前記第２の４（３）アのとおりであり，引用発明は，前記第２の４（３）イで認定したとおりである。 
　
３　本願発明と引用発明との対比及び判断 
　前記第２の１及び２より，本願発明は，本願補正発明において，補正事項１ないし４による発明特定事項の発明特定事項（「記憶手段」，「選択手段」及び「モード切替処理」，「制御処理」）に対する限定（限定的減縮）を取り除いたものであるから，本願発明は，本願補正発明を包含する。
　そして，前記第２の４（５）で検討したとおり，本願補正発明は，引用文献１記載の発明（引用発明）及び上記周知技術に基づいて，当業者が容易に発明をすることができたものである。
　そうすると，本願補正発明を包含する本願発明も，前記第２の４（５）で検討した理由により，引用文献１記載の発明（引用発明），並びに原査定の拒絶の理由に引用された周知例１及び２にみられるような上記周知技術に基づいて，当業者が容易に発明をすることができたものである。
　また，前記第２の４（６）の理由により，本願発明が奏する作用効果は，格別のものとはいえない。
 
４　まとめ 
　以上のとおり，本願の請求項４に係る発明（本願発明）は，引用文献１記載の発明（引用発明），並びに原査定の拒絶の理由に引用された周知例１及び２にみられるような上記周知技術に基づいて，当業者が容易に発明をすることができたものであり，特許法第２９条第２項の規定により，特許を受けることができないものである。
　
第４　結言 
　 
　したがって，本願の請求項４に係る発明は，特許法第２９条第２項の規定により特許を受けることができないから，その余の請求項について検討するまでもなく，本願は拒絶されるべきものである。 
　
　よって，結論のとおり審決する。